(57)【要約】      （修正有）【課題】たばこ箱の補充作業等を容易に行うことができる、使い勝手の良いたばこ箱陳列用什器を提供する。【解決手段】たばこ箱陳列用什器１は、たばこ箱を複数前後に整列させた状態で収容可能なトレイ２と、トレイ２が複数装着されてたばこ箱がトレイ２に収容された状態で陳列される陳列ケース３と、陳列ケース３に設けられ、陳列ケース３のトレイ２に対応する位置に番号を表示する表示手段４を有する。これにより、たばこ箱を補充する際に、トレイ２に対する番号の付け替え作業を省略することができ、たばこ箱の補充を容易に行うことができる。【選択図】図１
0003138293.tif 000002
【実用新案登録請求の範囲】
【請求項１】
たばこ箱を複数前後に整列させた状態で収容可能なトレイと、
該トレイが複数装着されて前記たばこ箱が前記トレイに収容された状態で陳列される陳列ケースと、
該陳列ケースに設けられ、前記陳列ケースに収容された前記トレイに対応する位置に番号を表示する表示手段とを有することを特徴とするたばこ箱陳列用什器。
【請求項２】
前記陳列ケースは、前記トレイが載せられて装着される棚部を有し、
前記表示手段は、表面に番号が記載された表示板を着脱自在に保持する保持部と、該保持部に保持された前記表示板が前記トレイの前方に位置しかつ前記表示板の表面が前記陳列ケースの前方から視認可能とするように前記保持部を前記棚部に支持する支持部とを有することを特徴とする請求項１に記載のたばこ箱陳列用什器。
【請求項３】
前記陳列ケースは、該陳列ケースの前方から前記陳列ケース内に前記トレイを装着し且つ前記陳列ケース内から前記陳列ケースの前方に向かって取出可能な構成を有し、
前記支持部は、前記保持部に保持された前記表示板が前記トレイの前面に対向して前記表示板の表面を前記陳列ケースの前方から視認可能とする起立姿勢位置と、該起立姿勢位置から前記陳列ケースの前方に向かって傾倒して前記トレイの前面との対向が解除される傾倒姿勢位置に、前記保持部を選択的に配置するように、回動自在に支持する構成を有することを特徴とする請求項２に記載のたばこ箱陳列用什器。
【請求項４】
前記支持部は、前記保持部が前記起立姿勢位置に配置されるように前記保持部を前記傾倒姿勢位置側から前記起立姿勢位置側に向かって付勢する構成を有することを特徴とする請求項３に記載のたばこ箱陳列用什器。
【請求項５】
前記棚部は、複数の前記トレイを前記陳列ケースの左右に並べて載せることが可能な大きさを有することを特徴とする請求項２〜４のいずれか１項に記載のたばこ箱陳列用什器。
【請求項６】
前記棚部は、上下に複数設けられていることを特徴とする請求項２〜５のいずれか１項に記載のたばこ箱陳列用什器。
【請求項７】
前記トレイは、前記たばこ箱を列の前方に向かって付勢する付勢手段を有することを特徴とする請求項１〜６のいずれか１項に記載のたばこ箱陳列用什器。
【考案の詳細な説明】
【技術分野】
【０００１】
本考案は、複数銘柄のたばこ箱を銘柄別に陳列するたばこ箱陳列用什器に関する。
【背景技術】
【０００２】
例えば、コンビニエンスストアでは、レジカウンターの後方やレジカウンターの上方等、購入希望者側から見える場所で且つ店員によって取り出すことができる場所に、たばこ箱の陳列棚を設けてたばこ箱を銘柄別に陳列し、購入希望者によって指定されたたばこ箱を、店員が陳列棚から取り出して購入希望者に販売するたばこ箱の販売方法が広く採用されている。
【０００３】
そして、上記たばこ箱の販売方法では、簡単な番号を利用して、たばこ箱の指定が行われている。具体的には、例えば、所定数のたばこ箱を前後一列に整列させて収容可能なトレイを複数用意し、たばこ箱の銘柄を示す番号を各トレイに予め付しておく。そして、番号に適合した銘柄のたばこ箱をトレイに収容し、各トレイを陳列棚や陳列ケース内に銘柄別に並べて陳列しておく。
【０００４】
購入希望者は、陳列された各トレイを見て、購入を希望する銘柄のたばこ箱が収容されているトレイの番号を店員に告げ、店員は、その番号が付されたトレイからたばこ箱を取り出して購入希望者に販売する。これにより、複数の銘柄の中から購入希望者が希望する銘柄のたばこ箱の簡単且つ正確な取り出しを実現し、店員による取り間違いを防ぎ、迅速なレジ作業を可能としている。
【０００５】
従来は、トレイの前部に表示部が一体に形成されており、番号の記載されたカードを表示部に挿入して挟持させることによって、トレイに番号を付する構成となっていた（例えば、特許文献１を参照）。
【０００６】
【特許文献１】特開平１１−１５５７０２号公報
【考案の開示】
【考案が解決しようとする課題】
【０００７】
しかしながら、トレイに表示部が設けられていると、陳列棚等に陳列されたトレイをたばこ箱の補充等によって交換する際に、番号が記載されたカードを元のトレイの表示部から取り外して、新たなトレイの表示部に挿入して挟持させる付け替え作業が必要であった。
【０００８】
このようなカードの付け替え作業は煩雑であり、特に、繁忙時には煩わしく、手間であり、作業時にカードを紛失するおそれがあった。また、陳列棚等におけるトレイの陳列位置が変更されると、番号が順番に並ばず、購入希望者によって指示された番号の付されたトレイを店員が探しにくくなるという問題を有する。
【０００９】
本考案は、これらの点に鑑みてなされたものであり、その目的は、たばこ箱の補充作業等を容易に行うことができる、使い勝手の良いたばこ箱陳列用什器を提供することにある。
【課題を解決するための手段】
【００１０】
上記課題を解決する請求項１に記載の考案によるたばこ箱陳列用什器は、たばこ箱を複数前後に整列させた状態で収容可能なトレイと、トレイが複数装着されてたばこ箱がトレイに収容された状態で陳列される陳列ケースと、陳列ケースに設けられ、陳列ケースに収容されたトレイに対応する位置に番号を表示する表示手段とを有することを特徴とする。
【００１１】
請求項２に記載の考案は、請求項１に記載のたばこ箱陳列用什器において、陳列ケースは、トレイが載せられて装着される棚部を有し、表示手段は、表面に番号が記載された表示板を着脱自在に保持する保持部と、保持部に保持された表示板がトレイの前方に位置しかつ表示板の表面が陳列ケースの前方から視認可能とするように保持部を棚部に支持する支持部とを有することを特徴とする。
【００１２】
請求項３に記載の考案は、請求項２に記載のたばこ箱陳列用什器において、陳列ケースは、陳列ケースの前方から陳列ケース内にトレイを装着し且つ陳列ケース内から陳列ケースの前方に向かって取出可能な構成を有し、支持部は、保持部に保持された表示板がトレイの前面に対向して表示板の表面を陳列ケースの前方から視認可能とする起立姿勢位置と、起立姿勢位置から陳列ケースの前方に向かって傾倒してトレイの前面との対向が解除される傾倒姿勢位置に、保持部を選択的に配置するように、回動自在に支持する構成を有することを特徴とする。
【００１３】
請求項４に記載の考案は、請求項３に記載のたばこ箱陳列用什器において、支持部は、保持部が起立姿勢位置に配置されるように保持部を傾倒姿勢位置側から起立姿勢位置側に向かって付勢する構成を有することを特徴とする。
【００１４】
請求項５に記載の考案は、請求項２〜４のいずれか１項に記載のたばこ箱陳列用什器において、棚部は、複数のトレイを陳列ケースの左右に並べて載せることが可能な大きさを有することを特徴とする。
【００１５】
請求項６に記載の考案は、請求項２〜５のいずれか１項に記載のたばこ箱陳列用什器において、棚部は、上下に複数設けられていることを特徴とする。
【００１６】
請求項７に記載の考案は、請求項１〜６のいずれか１項に記載のたばこ箱陳列用什器において、トレイは、たばこ箱を列の前方に向かって付勢する付勢手段を有することを特徴とする。
【考案の効果】
【００１７】
本考案によると、表示手段が陳列ケースに設けられているので、トレイを交換する際に、従来のようなトレイに対する番号の付け替え作業を行う必要がない。したがって、陳列ケースに対するたばこ箱の補充作業を容易に行うことができる。
【００１８】
また、トレイの交換によって表示手段の位置がずれるおそれもないので、購入希望者によって支持された番号が付されたトレイを店員が探しにくいという不具合も生じず、使い勝手がよいという効果を有する。
【考案を実施するための最良の形態】
【００１９】
次に、本考案の実施の形態について図に基づいて説明する。図１は、本実施の形態におけるたばこ箱陳列用什器１の構成を説明する図、図２は、たばこ箱陳列用什器のトレイの構成を説明する図、図３は、表示手段の正面図、図４は、表示手段の背面図、図５は、表示手段の側面図である。
【００２０】
本実施の形態に係わるたばこ箱陳列用什器１は、たばこをたばこ箱Ｐ単位で銘柄別に陳列する構成を有する。たばこ箱陳列用什器１は、図１に示すように、たばこの銘柄毎に用意されて複数のたばこ箱Ｐが収容されるトレイ２と、複数のトレイ２をたばこの銘柄別に並べてたばこ箱Ｐをトレイ２に収容された状態で陳列する陳列ケース３を備える。
【００２１】
トレイ２は、図２に示すように、同一銘柄の複数のたばこ箱Ｐを前後一列に整列させて列の前方に向かって付勢した状態で収容可能な構成（本実施の形態では１１個のたばこ箱Ｐを収容可能な構成）を有しており、トレイ本体１１と付勢手段２１によって構成される。
【００２２】
トレイ本体１１は、例えば透明のアクリル樹脂等の合成樹脂材料によって構成されており、細長矩形の底面部１１Ａと、底面部１１Ａの一対の長辺からそれぞれ起立して互いに対向する左右の側面部１１Ｂ、１１Ｃと、底面部１１Ａの一方の短辺から起立する前面部１１Ｄ及び後面部１１Ｅを備えた細長矩形の深皿形状を有する。
【００２３】
トレイ本体１１の大きさは、たばこ箱Ｐの横幅寸法よりも若干大きな距離を有して左右の側面部１１Ｂ、１１Ｃが対向し、たばこ箱Ｐを立てて前後一列に整列させて収容した場合に、たばこ箱Ｐの下部がトレイ本体１１内に挿入されて左右の側面部１１Ｂ、１１Ｃと対向するように設定されている。
【００２４】
トレイ本体１１の底面部１１Ａには、付勢手段２１の当接板２２をたばこ箱Ｐの配列方向であるトレイ本体１１の長手方向に摺動可能に支持するレール部１２と、付勢ばね２３の一端部を固定するばね固定部１３が形成されている。
【００２５】
レール部１２は、底面部１１Ａの左右方向略中央にて底面部１１Ａの長手方向に延在するように形成された溝状の開口部によって構成されている。そして、ばね固定部１３は、レール部１２の前端部よりも前面部１１Ｄ寄り位置にて、底面部１１Ａから上方に向かって突設された突起部によって構成されている。
【００２６】
付勢手段２１は、トレイ本体１１に収容されたたばこ箱Ｐを列の前方に向かって付勢するものであり、当接板２２と付勢ばね２３を有する。当接板２２は、例えばアセタールコポリマ等の合成樹脂材料によって構成されており、底面部１１Ａに沿うようにレール部１２に係合して摺動する摺動部２３ａと、摺動部２３ａから上方に向かって突出し、列最後部のたばこ箱Ｐの背面に接面する平面状の当接面部２３ｂが形成されている。
【００２７】
付勢ばね２３は、巻ぐせが付けられた渦巻き状の板ばねによって構成されており、図示していない巻回部が当接面部２３ｂの背面側に配置され、巻回部から引き出された先端部２３ａがばね固定部１３に固定されて、当接板２２をトレイ本体１１の前方に向かって付勢している。
【００２８】
陳列ケース３は、スチール鋼板、或いはアルミ板等の金属製材料からなる複数枚の板状部材を組み合わせて構成されており、陳列ケース３の前方から陳列ケース３内にトレイ２を装着し且つ陳列ケース３内から前方に向かって取り出すことができるように前面が開放された箱形状を有する。陳列ケース３の内方には、上下２段の棚部３１、３１が形成されて、各棚部３１に３個のトレイ２を左右に並べて載せて装着できるようになっている。
【００２９】
陳列ケース３は、本実施の形態では、矩形の底板部３２と、底板部３２の左右の側端縁からそれぞれ起立して左右に対峙する一対の側板部３３、３３と、左右の側板部３３、３３の上端縁間に亘って延在する天板部３４と、底板部３２、側板部３３、天板部３４の各後端縁に亘って延在して陳列ケース３の後方を閉塞する後板部（図示せず）を備えている。
【００３０】
そして、陳列ケース３の内方を上下に区画するように、陳列ケース３の内方で陳列ケース３の高さ方向略中央位置にて水平に延在する棚板部３５を備えている。底板部３２及び棚板部３５は、左右に３個のトレイ２を並べて載せることができる大きさを有しており、底板部３２の前部及び棚板部３５の前部には、一定幅を有して左右に延在する垂直面３２ａ、３５ａが形成されている。そして、底板部３２と棚板部３５によって、上下２段の棚部３１、３１が構成される。
【００３１】
底板部３２と棚板部３５との間隔、及び、棚板部３５と天板部３４との間隔は、底板部３２及び棚板部３５に載せて装着されたトレイ２からたばこ箱Ｐを取り出すことができる程度の大きさに設定されている。
【００３２】
上記陳列ケース３には、表示手段４が設けられている。表示手段４は、陳列ケース３に収容されたトレイ２に対応する位置に番号を表示するものであり、棚部３１、３１の前部に取り付けられている。表示手段４は、本実施の形態では、合計６個が取り付けられており、相互に異なる番号を表示するようになっている。番号は、例えば、陳列ケース３１の上段左側から右側に向かって０１、０２、０３の順番で並ぶように表示され、下段左側から右側に向かって０４、０５、０６の順番で並ぶように表示される。
【００３３】
表示手段４は、表面に番号が記載された表示板Ｕを着脱自在に保持する保持部４１と、保持部４１に保持された表示板Ｕがトレイ２の前方に位置し且つ表示板Ｕの表面を陳列ケース３の前方から視認可能とするように、保持部４１を支持する支持部５１を有する。
【００３４】
表示板Ｕは、矩形で且つプラスチック片や紙片等からなる薄板部材によって構成されており、その表面には例えば２桁までの数字等の簡単な番号が記載されている。本実施の形態では、６枚の表示板Ｕが用意され、０１〜０６の番号がそれぞれ割り当てられるように記載されている。
【００３５】
保持部４１は、表示板Ｕよりも一回り大きな矩形の平板部４２と、平板部４２の表面に突設され正面視にて上方が開放された略コ字状を形成する保持枠４３を有している。平板部４２の上部には、上端縁から下方に向かって半円状に切り欠いた切欠部４２ａが設けられており、表示板Ｕを把持して保持部４１から取り出す作業を容易なものとしている。
【００３６】
保持枠４３は、左右に離間して対峙する一対の縦枠部４４、４４と、これら一対の縦枠部４４、４４の下端間に亘って延在する下枠部４５を有しており、各縦枠部４４には、互いに離反する方向に向かって凹陥するように溝部４７、４７が設けられている。各溝部４７は、表示板Ｕの板厚よりも若干広い溝幅と、所定の溝深さを有しており、保持部４１の上方から表示板Ｕを接近させた場合に、表示板Ｕの左右の端縁部分が挿入されて表示板Ｕを保持するように構成されている。
【００３７】
支持部５１は、保持部４１に保持された表示板Ｕがトレイ２の前面に対向して表示板Ｕの表面を陳列ケース３の前方から視認可能とする起立姿勢位置（図５に実線で示す）と、起立姿勢位置から陳列ケース３の前方に向かって傾倒してトレイ２の前面との対向が解除される傾倒姿勢位置（図５に仮想線で示す）に、保持部４１を選択的に配置するように、回動自在に支持する構成を有する。
【００３８】
支持部５１は、棚部３１を構成する底板部３２及び棚板部３５の各垂直面３２ａ、３５ａに固定される固定部５２と、保持部４１の裏面側に固定される可動部５３と、固定部５２に対して可動部５３を回動自在に支持する軸部５４を有する。固定部５２は、棚部３１の前端面に接面して一定幅で左右に延在する基片５２ａと、基片５２ａの左右の両端部で折曲されて突出し互いに対向する一対の腕片５２ｂ、５２ｂとからなる略コ字状をなす。
【００３９】
可動部５３は、保持部４１の平板部４２の裏面に接面して左右に延在する基板５３ａと、基板５３ａの左右の両端部で折曲されて突出し互いに対向する一対の腕部５３ｂとからなる略コ字状をなす。
【００４０】
固定部５２と可動部５３は、固定部５２の一対の腕片５２ｂ、５２ｂ間に可動部５３の一対の腕部５３ｂ、５３ｂが介在されて腕片５２ｂと腕部５３ｂとが互いに接面する状態とされ、腕片５２ｂと腕部５３ｂに連通するように穿設された軸孔に軸部５４が挿通されて、互いに回動可能に連結されている。
【００４１】
支持部５１は、保持部４１を傾倒姿勢位置に配置した際に、保持部４１の最上高さが棚部３１の上面以下の高さ位置となり、トレイ２を棚部３１の上面に沿って前後に移動させる際に、トレイ２が保持部４１に当接せず、トレイ２の出し入れ作業の邪魔にならないように保持部４１を支持している。
【００４２】
また、支持部５１は、保持部４１が起立姿勢位置に配置されるように保持部４１を傾倒姿勢位置から起立姿勢位置に向かって付勢する構成を有する。本実施の形態では、付勢手段としてつる巻きばね（図示せず）が支持部５１に配設されている。これにより、通常時は、表示板Ｕの表面を陳列ケース３の前方から視認可能な起立姿勢位置に保持部４１を配置させ、トレイ２の出し入れ作業時には、付勢手段の付勢力に抗して保持部４１を回動させて、トレイ２を陳列ケース３の前部から出し入れできる傾倒姿勢位置に配置させることができる。
【００４３】
上記構成を有するたばこ箱陳列用什器１は、例えば、コンビニエンスストア等の店舗におけるレジカウンターの後方やレジカウンターの上方等、購入希望者側から表示手段４の番号が見える場所で且つ店員によってたばこ箱Ｐを取り出すことができる場所に設置される。
【００４４】
そして、たばこ箱Ｐが収容されたトレイ２が陳列ケース３に装着される。トレイ２の装着は、一方の手で表示手段４の保持部４１を回動させて傾倒姿勢位置に配置させながら、他方の手でトレイ２を保持し、陳列ケース３１の前方から内方に棚部３１である底板部３２や棚板部３５の上を滑らせるように移動させることによって行われる。
【００４５】
これにより、各トレイ２は、陳列ケース３１の前後に沿って延在しかつ左右に並んで配置されるように棚部３１の上に載せられる。したがって、たばこ箱Ｐが銘柄別に並べられ、トレイ２に収容された状態で陳列される。保持部４１は、手を離すことによって、傾倒姿勢位置から回動して起立姿勢位置に配置され、トレイ２の前方に番号が表示される。
【００４６】
したがって、購入希望者は、たばこ箱陳列用什器１によって陳列されたたばこ箱Ｐを見て、購入を希望する銘柄のたばこ箱が収容されているトレイ２の番号を店員に伝えることができ、店員は、購入希望者によって指定された番号に対応するトレイ２からたばこ箱Ｐを取り出して、購入希望者に販売することができる。
【００４７】
店員は、たばこ箱陳列用什器１にたばこ箱Ｐを補充する場合、空のトレイ２を前方に引き出して陳列ケース３１から取り出し、そのトレイ２にたばこ箱Ｐを収容してから陳列ケース３１に装着し、又は、たばこ箱Ｐが収容済みである別のトレイ２を陳列ケース３１に装着する。
【００４８】
かかる補充作業において、表示手段４が陳列ケース３１の棚部３１に設けられているので、トレイ２を別のトレイ２に交換する場合、従来技術のように、元のトレイから表示板を取り外して別のトレイに付け替える作業を行う必要がなく、補充作業を容易に行うことができる。
【００４９】
また、トレイ２の取り出しや装着を行っても、番号の位置は変更されないので、店員は、購入希望者によって指定された番号に対応するトレイ２の位置を容易に把握することができ、番号に対応するトレイ２を探す手間を省くことができる。したがって、複数の銘柄の中から購入希望者が希望する銘柄のたばこ箱の簡単且つ正確に取り出すことができ、使い勝手がよく、迅速なレジ作業を行うことができる。
【００５０】
そして、トレイ２の出し入れの際に、保持部４１を回動させて起立姿勢位置から傾倒姿勢位置に配置させることができるので、保持部４１が邪魔にならず、トレイ２の出し入れ作業を円滑に行うことができる。
【００５１】
尚、本考案は、上述の実施の形態に限定されるものではなく、本考案の趣旨を逸脱しない範囲で種々の変更が可能である。例えば、上述の実施の形態では、３列のトレイ２を上下２段に収容する陳列ケース３１の場合を例に説明したが、複数のトレイ２を収容できるものであればよく、他の列数や段数を適宜採用してもよい。
【図面の簡単な説明】
【００５２】
【図１】本実施の形態におけるたばこ箱陳列用什器の構成を説明する図である。
【図２】たばこ箱陳列用什器のトレイの構成を説明する図である。
【図３】表示手段の正面図である。
【図４】表示手段の背面図である。
【図５】表示手段の側面図である。
【符号の説明】
【００５３】
１  たばこ箱陳列用什器
２  トレイ
３  陳列ケース
４  表示手段
１１  トレイ本体
３１  棚部
４１  保持部
５１  支持部
Ｐ  たばこ箱
Ｕ  表示板
【図１】
0003138293.tif 000003
【図２】
0003138293.tif 000004
【図３】
0003138293.tif 000005
【図４】
0003138293.tif 000006
【図５】
0003138293.tif 000007